(57)【特許請求の範囲】
【請求項１】
人間の腰から膝までの間の大腿部を裏面から支えて支持する座面（２）を構成し、床面から後方で支持する後部脚部（６）とを有した座面フレーム（１０）と、
下端が前記座面フレーム（１０）に揺動自在支持され、人間の腰、胸部、及び頭部を背面から支えて支持する背もたれ（３）を構成する背もたれフレーム（１１）と、
前記座面フレーム（１０）と前記背もたれフレーム（１１）を揺動自在に連結し、前記座面フレーム（１０）及び前記背もたれフレーム（１１）を床面から前方で支持する前部脚部（５）を備えた連結枠部材（４）と
から構成されている折り畳み椅子において、
前記座面（２）は、臀部を支承する前記座面（２）の後方より膝に近い大腿部を支承する前方が高く形成されており、
前記座面（２）を構成しパイプフレームである前記座面フレーム（１０）は、
概略Ｕ字形であり、前方が開放され、後方の左右に直線状の平行して配置された左側後方座面フレーム（２０）、及び右側後方座面フレーム（２１）と、
前記左側後方座面フレーム（２０）、及び前記右側後方座面フレーム（２１）に連続して、前方左右にそれぞれ突き出でＣ字状に湾曲した左側前方湾曲部（１７）及び右側前方湾曲部（１８）が長さ調節自在に配置され、
前記左側前方湾曲部（１７）を含む面と及び前記右側前方湾曲部（１８）を含む面は、上方に鋭角（θ１）を成し、
前記直線部（３０）の後方には前記後部脚部（６）が連結され、
前記左側前方湾曲部（１７）及び前記右側前方湾曲部（１８）は、前記左側後方座面フレーム（２０）、及び前記右側後方座面フレーム（２１）との間の連結部が長さ調整自在である
ことを特徴とする折り畳み椅子。
【請求項２】
人間の腰から膝までの間の大腿部を裏面から支えて支持する座面（２）を構成し、床面から後方で支持する後部脚部（６）とを有した座面フレーム（１０）と、
下端が前記座面フレーム（１０）に揺動自在支持され、人間の腰、胸部、及び頭部を背面から支えて支持する背もたれ（３）を構成する背もたれフレーム（１１）と、
前記座面フレーム（１０）と前記背もたれフレーム（１１）を揺動自在に連結し、前記座面フレーム（１０）及び前記背もたれフレーム（１１）を床面から前方で支持する前部脚部（５）を備えた連結枠部材（４）と
から構成されている折り畳み椅子において、
前記座面（２）は、臀部を支承する前記座面（２）の後方より膝に近い大腿部を支承する前方が高く形成されており、
概略Ｕ字形をしたパイプフレームである前記背もたれフレーム（１１）は、
前記Ｕ字形の開放端である下端は、前記座面フレーム（１０）に揺動自在に軸支され、
前記下端部近傍は腰部を支持し互いに平行した直線部（３０）を有し、
腰部上方を支持し前記直線部（３０）に連続して上方に角度を有して拡がり、前方に傾斜して配置された拡開部（３２）を有し、
胸部を支持し前記拡開部（３２）に連続して前方に凸部となるように突出し、互いに並行になるように配置された直線部（３３）を有し、
頭部を支持し前記直線部（３３）に連続して後方に後退した頭部支持部（３４）とからなる
ことを特徴とする折り畳み椅子。
【請求項３】
請求項２に記載の折り畳み椅子おいて、
前記背もたれフレーム（１１）は、前記頭部支持部（３４）が長さ調整自在であることを特徴とする折り畳み椅子。
【請求項４】
請求項１又は２に記載の折り畳み椅子において、
前記背もたれ（３）に腰の背部から支持するためのパッドである腰背部パッド（８０）が配置されていることを特徴とする折り畳み椅子。
【請求項５】
請求項３に記載の折り畳み椅子において、
胸腰部を前面で巻いて支えるための胸腰部固定ベルト（８１）が配置されていることを特徴とする折り畳み椅子。
【発明の詳細な説明】
【０００１】
【発明の属する技術分野】
本発明は、椅子に座ったときに大腿部、臀部、腰部、胴部、肩部、頭部等を安定的に支えることができる折り畳み椅子に関する。更に詳しくは、乳幼児、身体障害者、高齢者等のように椅子、車椅子に正常な座位で座ることが困難な人でも安定して座ることができる折り畳み椅子に関する。
【０００２】
【従来の技術】
椅子、車椅子に座る乳幼児、身体障害者、高齢者等は、その着座位置で長時間適正な姿勢に保つことは難しい。仮に、この姿勢を強制的に保ったとしても、それによって肉体的な衰え、例えば、局部的な圧迫による血液循環の不良、骨の脆弱化等々を引き起こすものであってはならない。このような不都合を解消するために、大腿部、臀部、腰部、胴部、肩部、頭部等を安定的に支える折り畳み可能なパイプ構造の車椅子、椅子が種々の提案がなされてきた（特開２０００−３００６１０号）。
【０００３】
しかしながら、折り畳み椅子は、軽量で取り扱いが容易な利点はあるが、乳幼児、身体障害者、高齢者等のように座位を保てない人が使用する椅子にはなりにくい。その理由は、パイプ構造がゆえに、形状の制約があり、かつパイプ間に座面シート、背もたれシートにベルトのように体重を支えるために張力をもって掛け渡す必要がある。
【０００４】
このために３次元構造を採用しにくいものとなる。一方、椅子の上で正常な座位を保持できない人達が使用できるようなものにするには、身体に合わせた形状に座面、背もたれの形状にしなければならない。このためには、発泡スチロール、ウレタン等の素材をＮＣ工作機械、手作業で削って作るか、成形用の金型で成形する必要がある。このような製作は極めて高価になり、しかも重量も必然的に重くなる。
【０００５】
【発明が解決しようとする課題】
【発明が解決しようとする課題】
本発明は、フレームをパイプ構造の折り畳み椅子として、折り畳み椅子の特徴を備えてしかも身体に合わせた座面、背もたれの形状にできるものが望まれている。
本発明は上述のような技術背景のもとになされたものであり、下記目的を達成する。
本発明の目的は、座位を安定して保持することができる折り畳み椅子を提供することにある。
本発明の他の目的は、通気、通水性を備えた折り畳み椅子を提供することにある。
本発明の更に他の目的は、パイプフレームで軽量化した折り畳み椅子を提供することにある。
【０００６】
【課題を解決するための手段】
本発明は、前記目的を達成するため、次の手段を採る。本発明１の折り畳み椅子は、人間の腰から膝までの間の大腿部を裏面から支えて支持する座面（２）を構成し、床面から後方で支持する後部脚部（６）とを有した座面フレーム（１０）と、
下端が前記座面フレーム（１０）に揺動自在支持され、人間の腰、胸部、及び頭部を背面から支えて支持する背もたれ（３）を構成する背もたれフレーム（１１）と、
前記座面フレーム（１０）と前記背もたれフレーム（１１）を揺動自在に連結し、前記座面フレーム（１０）及び前記背もたれフレーム（１１）を床面から前方で支持する前部脚部（５）を備えた連結枠部材（４）と
から構成されている折り畳み椅子において、
前記座面（２）は、臀部を支承する前記座面（２）の後方より膝に近い大腿部を支承する前方が高く形成されており、
前記座面（２）を構成しパイプフレームである前記座面フレーム（１０）は、
概略Ｕ字形であり、前方が開放され、後方の左右に直線状の平行して配置された左側後方座面フレーム（２０）、及び右側後方座面フレーム（２１）と、
前記左側後方座面フレーム（２０）、及び前記右側後方座面フレーム（２１）に連続して、前方左右にそれぞれ突き出でＣ字状に湾曲した左側前方湾曲部（１７）及び右側前方湾曲部（１８）が長さ調節自在に配置され、
前記左側前方湾曲部（１７）を含む面と及び前記右側前方湾曲部（１８）を含む面は、上方に鋭角（θ１）を成し、
前記直線部（３０）の後方には前記後部脚部（６）が連結され、
前記左側前方湾曲部（１７）及び前記右側前方湾曲部（１８）は、前記左側後方座面フレーム（２０）、及び前記右側後方座面フレーム（２１）との間の連結部が長さ調整自在であることを特徴とする。
【０００７】
本発明２の折り畳み椅子は、人間の腰から膝までの間の大腿部を裏面から支えて支持する座面（２）を構成し、床面から後方で支持する後部脚部（６）とを有した座面フレーム（１０）と、
下端が前記座面フレーム（１０）に揺動自在支持され、人間の腰、胸部、及び頭部を背面から支えて支持する背もたれ（３）を構成する背もたれフレーム（１１）と、
前記座面フレーム（１０）と前記背もたれフレーム（１１）を揺動自在に連結し、前記座面フレーム（１０）及び前記背もたれフレーム（１１）を床面から前方で支持する前部脚部（５）を備えた連結枠部材（４）と
から構成されている折り畳み椅子において、
前記座面（２）は、臀部を支承する前記座面（２）の後方より膝に近い大腿部を支承する前方が高く形成されており、
概略Ｕ字形をしたパイプフレームである前記背もたれフレーム（１１）は、
前記Ｕ字形の開放端である下端は、前記座面フレーム（１０）に揺動自在に軸支され、
前記下端部近傍は腰部を支持し互いに平行した直線部（３０）を有し、
腰部上方を支持し前記直線部（３０）に連続して上方に角度を有して拡がり、前方に傾斜して配置された拡開部（３２）を有し、
胸部を支持し前記拡開部（３２）に連続して前方に凸部となるように突出し、互いに並行になるように配置された直線部（３３）を有し、
頭部を支持し前記直線部（３３）に連続して後方に後退した頭部支持部（３４）とからなることを特徴とする。
【０００８】
本発明３の折り畳み椅子は、本発明２において、前記背もたれフレーム（１１）は、前記頭部支持部（３４）が長さ調整自在であることを特徴とする。
【０００９】
本発明４の折り畳み椅子は、本発明１又は２において、前記背もたれ（３）に腰の背部から支持するためのパッドである腰背部パッド（８０）が配置されていることを特徴とする。
本発明５の折り畳み椅子は、本発明３において、胸腰部を前面で巻いて支えるための胸腰部固定ベルト（８１）が配置されていることを特徴とする。
【００１０】
【発明の実施の形態】
次に、本発明の実施の形態を説明する。図１は、本発明の実施の形態である折り畳み椅子１を開いたときの外観を示す図であり、図２は図１の正面図であり、図３は側面図である。折り畳み椅子１は、概略すると座面２、背もたれ３、背もたれ３と連結された連結枠部材４、連結枠部材４に連結された前部脚部５、座面２の後方に連結された後部脚部６、連結枠部材４と座面２とを相互に揺動自在に連結するリンク９等から構成されている。
【００１１】
座面２には、座面シート７が掛け渡してある。背もたれ３には、背もたれシート８が掛け渡してある。座面シート７は、人間の腰から膝までの間の大腿部、すなわち大腿骨のある部分を裏面から支えるものである。背もたれシート８は、人間の腰、胸部、及び頭部を背面から支えるものである。
【００１２】
図４は、折り畳み椅子１のフレームだけを示す立体外観図である。図５は折り畳み椅子１のフレームの正面図、図６は図５の左側面図である。折り畳み椅子１を構成するフレームは、全て金属製、本例ではアルミニウム製のパイプである。折り畳み椅子１のフレームは、座面フレーム１０、背もたれフレーム１１、Ｕ字形である連結枠部材４、前述した座面フレーム１０と連結枠部材４を相互に揺動自在連結する板状の左右のリンク９、連結枠部材４に連結された前部脚部５、座面２の後方に連結された後部脚部６等から構成されている。
【００１３】
［座面フレーム１０］
図７は、座面フレーム１０の立体外観図である。座面フレーム１０の前部には、左側前方座面フレーム１５、及び右側前方座面フレーム１６が平行に配置されている。左側前方座面フレーム１５、及び右側前方座面フレーム１６は、これに掛け渡された座面シート７を両側から支持し張力を与えるものである。座面シート７は、大腿、特に大腿の膝に近い裏面部分を支える。
【００１４】
左側前方座面フレーム１５の前方部は、Ｃ字状に突き出た左側前方湾曲部１７が形成されている。同様に、右側前方座面フレーム１６の前方部は、Ｃ字状に突き出た右側前方湾曲部１８が形成されている。左側前方湾曲部１７及び右側前方湾曲部１８は、これと直交する方向に配置された座面フレーム１０の前方左右連結部材１９により相互に連結されている。左側前方湾曲部１７を含む面と右側前方湾曲部１８を含む面は、平行に配置されてはなく鋭角θ１を成す（図５参照）。
【００１５】
左側前方座面フレーム１５、及び右側前方座面フレーム１６の後端は、左側後方座面フレーム２０、及び右側後方座面フレーム２１の前端面から挿入されている。左側後方座面フレーム２０、及び右側後方座面フレーム２１は、互いに平行になる位置に配置されている。左側後方座面フレーム２０、及び右側後方座面フレーム２１への、左側前方座面フレーム１５、及び右側前方座面フレーム１６の後端部の挿入長さは調節できる。この長さ調節は、スパナ等の工具を使用しないで手で回すことができるハンドル付きのボルト２３及びボルト２４により、左側前方座面フレーム１５、及び右側前方座面フレーム１６を、左側後方座面フレーム２０、及び右側後方座面フレーム２１にそれぞれ固定して行う。
【００１６】
従って、座面２に座る人の大腿部の長さに合わせて、座面２の全長を調整できる利点がある。左側後方座面フレーム２０、及び右側後方座面フレーム２１は、これと直交する方向に後方左右連結部材２２により相互に連結されている。後方左右連結部材２２は、座ったときに臀部と干渉しないように下方に若干凹んでいる。結局、座面フレーム１０は、概略矩形のフレームを成している。左側後方座面フレーム２０、及び右側後方座面フレーム２１の後方端には、ハンドル付きのボルト２７、及びボルト２８がそれぞれ配置されている。
【００１７】
ボルト２７、及びボルト２８は、後部脚部６の端部を挿入し固定するためのものである。後部脚部６の端部の挿入長さは調整自在であり、この長さ調整により座った状態での背筋の鉛直方向の角度を調節する。左側後方座面フレーム２０、及び右側後方座面フレーム２１の上方側端には、それぞれ揺動ブラケット２５、及び揺動ブラケット２６がそれぞれ配置されている。揺動ブラケット２５、及び揺動ブラケット２６は、背もたれフレーム１１の下端を揺動自在に支持するための軸受を構成するものである。
【００１８】
［背もたれフレーム１１］
図８（ａ），（ｂ）及び（ｃ）は、背もたれフレーム１１であり、図８（ａ）は正面図、図８（ｂ）は平面図、及び図８（ｃ）は左側面図である。背もたれフレーム１１は概略するとＵ字状の形をしたものであり、背もたれフレーム１１の両端である下端にはそれぞれ貫通孔が形成された揺動ブラケット３１が配置されている。両端の揺動ブラケット３１は、座面フレーム１０の揺動ブラケット２５、及び揺動ブラケット２６に挿入され、ピン４５により揺動自在に連結されている（図６参照）。
【００１９】
揺動ブラケット３１が配置された直線部３０は、座ったときに主に腰部を支持するための部分である。左右の直線部３０は、互いに平行になるように曲げて形成されている。直線部３０に連続して、上部の腰部を支持するための左右に拡開部３２が形成されている。拡開部３２は、側面からみると前方に角度β傾斜して配置され（図８（ｂ）参照）、正面から見れば鋭角に拡がるように形成されている（図８（ａ）参照）。
【００２０】
拡開部３２に連続して、互いに平行に配置された直線部３３が形成されている。直線部３３は、互いに平行になるように配置されている。直線部３３は、側面からみると前方に凸部となるように配置されている（図８（ｂ）参照）。直線部３３は、主に胸部を支持するためのフレーム部分である。直線部３３に連続して、頭部支持部３４が形成されている。左右の頭部支持部３４は、側面からみると後方に鋭角度γだけ傾斜している（図８（ｂ）参照）。
【００２１】
左右の頭部支持部３４は、頭部連結部３５で相互に連結されている。以上の説明で理解されるように、左右の揺動ブラケット３１、直線部３０、拡開部３２、直線部３３、頭部支持部３４、及び頭部連結部３７は、中心線３８を中心に左右対称に形成されている。直線部３３には、接続部３６が配置されており、直線部３３を構成するパイプより小径の連結パイプ３９（図６参照）により接続され、ピン４４に連結されている。直線部３３、及び連結パイプ３９には、所定間隔位置に貫通孔が形成されており、この貫通孔にピン４４を挿入することにより両者は固定されている。
【００２２】
従って、ピン４４を挿入するピン４４の位置により、直線部３３の長さは自在に調節できる。従って、座る人の胴長により長さを調整自在である。同様に、頭部連結部３５の長さもピン４３の挿入位置により長さを調節できるので、座る人の肩幅、胸幅により左右の幅方向の間隔が調節できる。前述した直線部３３には、ブラケット４０が配置されている。ブラケット４０は、連結枠部材４に揺動自在に連結するための軸受を構成すものである。
【００２３】
［連結枠部材４］
図４に示すように連結枠部材４は、概略Ｕ字状の形状を成している。連結枠部材４内に座面フレーム１０、背もたれフレーム１１が挿入配置されている。連結枠部材４の開放端部のパイプの内孔には、Ｕ字状の前部脚部５が挿入配置されている。前部脚部５は、ハンドル付ボルト５０．５１により連結枠部材４に調節自在に支持固定される。前部脚部５の外周には、ゴム製の滑り止５２が巻いてある。滑り止５２は、折り畳み椅子１が床面上で滑るのを固定するためのものである。
【００２４】
連結枠部材４の後方の内側には、軸５５が固定されており、背もたれフレーム１１ブラケット４０に軸５５を挿入して揺動自在に支持されている。連結枠部材４の内側の略中間部の左右には、それぞれリンク９の一端が軸５３により揺動自在に支持されている。リンク９の他端は、座面フレーム１０の左右の側面に固定されたピン５４に揺動自在に支持されている。従って、連結枠部材４は、リンク９を介して座面フレーム１０に揺動自在に連結されている。
【００２５】
折り畳み椅子１の使用時に座面フレーム１０の揺動を固定するために、連結枠部材４の左右の内側には、ストッパ５８が配置固定されている。ストッパ５８に座面フレーム１０の下端が接触し、座面フレーム１０の揺動を止め座る人の体重を受け止める。
【００２６】
［座面シート７］
図９に示す座面シート７は、座面フレーム１０に掛け渡されるシートである。座面フレーム１０の左側前方湾曲部１７と右側前方湾曲部１８の間には、左右方向に補強用ベルト６０が掛け渡してある。補強用ベルト６０の一面は、面ファスナーで構成されているので任意の長さに調節できる。左側後方座面フレーム２０と右側後方座面フレーム２１間には（図７参照）、左右方向に補強用ベルト６１が掛け渡してある。
【００２７】
補強用ベルト６１の長さは、固定金具６２により任意に調節できる。従って、座る人の大腿部に応じて緩めたり、張ったりしてテンションを調節することができる。座面フレーム１０の左側前方湾曲部１７と右側前方湾曲部１８をカバーし、かつ座面フレーム１０の後方をカバーする座面シートカバー６３が配置されている。座面シートカバー６３の素材は、支持面に通気通水性が保たれ、かつ素材そのものがクッション性を備えた立体編物構造を有している（商標名「FUSION」旭化成株式会社製）。
【００２８】
座面シートカバー６３の裏面には、左右に補強布６４、補強布６４に一体に縫い込まれ前後方向に２本の補強用ベルト６５の一端が固定されている。補強用ベルト６５の他端６６は、座面フレーム１０の後方左右連結部材２２に掛け渡してある。補強用ベルト６５の長さは、固定金具６７により調整自在である。座面シートカバー６３の後端面には、２本の調節ベルト６８の一端が固定されている。
【００２９】
調節ベルト６８の他端は、連結枠部材４の後部フレーム５６（図４参照）に掛け渡してある。調節ベルト６８は、長さが調整自在であり所望の位置で金具６９で固定できる。従って、調節ベルト６８の長さを調整することにより、座面シートカバー６３の張力を調整して座ったときの臀部の落ち込みを調整することができる。
【００３０】
［背もたれシート８］
図１０は、背もたれシートの立体外観図である。背もたれシート８は、背もたれフレーム１１に掛け渡してカバーするものである。背もたれシート８の素材は、支持面に通気通水性が保たれ、かつ素材そのものがクッション性を備えた立体編物構造を有している（商標名「FUSION」旭化成株式会社製）。背もたれフレーム１１の下部及び中間部には、左右方向に２本の補強ベルト７１が掛け渡してある。
【００３１】
背もたれシート８の上部の裏面には、左右方向に補強布７３が固定されている。補強布７３には、上下方向に平行に配置された２本の補強ベルト７４の一端が固定されている。補強ベルト７４の他端は、連結枠部材４の後部フレーム５６（図４参照）に掛け渡してある。補強ベルト７４は、長さが調整自在であり所望の位置で金具７５で固定できる。背もたれフレーム１１の胸部付近には、左右方向に３本の調節ベルト７６が配置されている。
【００３２】
３本の調節ベルト７６は、金具７７を備えて所望の長さに調節できる。従って、調節ベルト７６の長さを調整することにより、背もたれシート８の張力を調整して座ったときの背部の落ち込み、即ち支持具合を調整することができる。
【００３３】
［腰背部パッド８０］
図１１は、背もたれシート８の全面に配置された２枚の腰背部パッド８０を示す。腰背部パッド８０の端部は、背もたれシート８に一体に縫い込まれて固定されている。腰背部パッド８０は、概略矩形の形をしており、座ったときに腰の背部から支持するためのパッドである。通常の状態で腰背部パッド８０は、腰部を背部左右で支える機能を果たすものである。腰背部パッド８０と同じ位置に胸腰部固定ベルト８１の一端がそれぞれ固定されている。胸腰部固定ベルト８１の一面には、面ファスナーが形成されている。
【００３４】
使用者の中で特に座位の不安定な人が使用する場合には、胸腰部固定ベルト８１で利用者の腰部、又は胸部に巻き付けて固定し、腰部、又は胸部を軽く固定する。この固定により、座位の不安定な人でも安定して座ることができる。
【００３５】
（折り畳み椅子１の折り畳み動作）
次に、折り畳み椅子１を折り畳む機能を説明する。図１２（ａ）は折り畳み椅子１の使用時の状態を示す側面図であり、図１２（ｂ）は折り畳み椅子１の途中状態を示す側面図であり、図１２（ｃ）は折り畳み椅子１を折り畳んだ状態を示す側面図である。折り畳み椅子を収納等のために折り畳むときは、図１２（ａ）に示す状態から座面２の前端と背もたれ３の上端を掴んで、互いに重ね合わせるようにする。背もたれ３と座面２とは、ピン４５の部分で揺動し、リンク９と座面２の連結部が揺動し、リンク９と連結枠部材４の連結部が揺動して、図１２（ｃ）に示すように折り畳み動作は１動作で完了する。
【００３６】
［他の実施の形態］
図１３に示すものは、前述した左側前方湾曲部１７の他の構造例である。前述した左側前方座面フレーム１５とＣ字状に突き出た左側前方湾曲部１７は、１本のパイプ材で作られていたが、んれいは別部材で作られたものである。図１３に示すようにＣ字状の形をした左側前方湾曲部１７ａは、下方に直線部９１が形成されている。左側前方湾曲部１７ａの内方に左側前方座面フレーム１５の先端９０が溶接で一体に固定されている。左側前方湾曲部１７ａと左側前方座面フレーム１５とを別体で製造するので、製造が容易であるという特徴がある。
【００３７】
【発明の効果】
以上詳記したように、本発明によると、フレームがパイプ構造であるにも係わらず座面、背もたれの支持面を立体構造とすることができるので、大腿部、臀部、背部等を安定して支持できる。座面シート、背もたれシートの調節ベルトを調節することにより、身体に合わせたものにできる。
【図面の簡単な説明】
【図１】図１は、本発明の実施の形態である折り畳み椅子を開いたときの外観を示す図である。
【図２】図２は、図１の正面図である。
【図３】図３は、側面図である。
【図４】図４は、折り畳み椅子１のフレームだけを示す立体外観図である。
【図５】図５は、折り畳み椅子１のフレームの正面図である。
【図６】図６は、図５は左側面図である。
【図７】図７は、座面フレームの立体図である。
【図８】図８は背もたれフレームであり、図８（ａ）は正面図、図８（ｂ）は平面図、及び図８（ｃ）は左側面図である。
【図９】図９は、座面シートの立体外観図である。
【図１０】図１０は、背もたれシートの立体外観図である。
【図１１】図１１は、背もたれシートの全面に配置された２枚の腰背部パッドを示す立体外観図である。
【図１２】図１２（ａ）は折り畳み椅子１の使用時の状態を示す側面図であり、図１２（ｂ）は折り畳み椅子１の途中状態を示す側面図であり、図１２（ｃ）は折り畳み椅子１を折り畳んだ状態を示す側面図である。
【図１３】図１３は、膝に近い大腿部に近い座面フレームの左側前方湾曲部の他の構造例を示す側面図と正面図である。
【符号の説明】
１…折り畳み椅子
２…座面
３…背もたれ
４…連結枠部材
７…座面シート
８…背もたれシート
９…リンク
１０…座面フレーム
１１…背もたれフレーム
１５…左側前方座面フレーム
１６…右側前方座面フレーム
１７…左側前方湾曲部
１８…右側前方湾曲部
１９…前方左右連結部材１９
【図１】
0003862211.tif 000002
【図２】
0003862211.tif 000003
【図３】
0003862211.tif 000004
【図４】
0003862211.tif 000005
【図５】
0003862211.tif 000006
【図６】
0003862211.tif 000007
【図７】
0003862211.tif 000008
【図８】
0003862211.tif 000009
【図９】
0003862211.tif 000010
【図１０】
0003862211.tif 000011
【図１１】
0003862211.tif 000012
【図１２】
0003862211.tif 000013
【図１３】
0003862211.tif 000014